(57)【要約】      （修正有）【課題】パチンコ遊技機から取外されたセル盤のみを支持するセル盤支持枠台を用い、営業時間中でもセル盤のメンテナンス作業を並行して行い、パチンコ遊技機の休止時間を短縮する。【解決手段】上端に横枠４を連結した一対の脚柱５ａ，５ｂと、両脚柱下方から前方に張り出したテーブル６と、上部支持面８ａ上に第１ゴム板Ｒ１が貼着され、後方に段付き部８ｂを突設した下部支持枠８と、下部支持面１０ａ上に第２ゴム板Ｒ２が貼着され、後方に段付き部１０ｂを突設した上部支持枠１０とを有し、対向する両脚柱に設けた縦案内溝１２内に両端が上下移動可能に挿嵌された上部支持枠１０は、左右両端を挿通した案内軸に挿嵌される圧縮コイルばねＳＰにより横枠４に対し下方に押圧付勢され、セル盤の上端が僅かに後方に傾斜した状態で上下端面が両支持面８ａ，１０ａ間で保持される。【選択図】図６
0003141731.tif 000002
【実用新案登録請求の範囲】
【請求項１】
店舗内に設置される遊技機設置台に取付けられるパチンコ遊技機の一部を構成するセル盤ＣＢのみを保持するパチンコ遊技機のセル盤支持枠台であって、
上記セル盤支持枠台１は、床面Ｆに水平に支持されるベース２上に立設し上端間に横枠４を連結して成る一対の脚柱５ａ，５ｂと、これら脚柱５ａ，５ｂ間の下方部位に連結されて前方に張り出したテーブル６と、このテーブル６上方の上記脚柱５ａ，５ｂ間に連結され平坦に形成された上部支持面８ａの上面に第１ゴム板Ｒ１が貼着され、上記上部支持面８ａの後方端部に長手方向に沿って上向き段付き部８ｂを突設した下部支持枠８と、この下部支持枠８の上方に対向配置される平坦な下部支持面１０ａの下面に第２ゴム板Ｒ２が貼着され、上記下部支持面１０ａの後方端部に長手方向に沿って下向き段付き部１０ｂを突設した上部支持枠１０とを有し、上記下向き段付き部８ｂの前面に形成された当接壁面８ｃは、上記上向き段付き部１０ｂの前面に形成された当接壁面１０ｃより僅かに前方に位置して成り、
上記両脚柱５ａ，５ｂは、対向する内面に上端から一定長さの縦案内溝１２が形成されて、これら両縦案内溝１２には上記上部支持枠１０の両端が上下移動可能に挿嵌されると共に上記両縦案内溝１２の内部には、上記横枠４の両端および上記両縦案内溝１２の下端面１２ａにそれぞれ案内軸１４の上下両端が支持され、上記上部支持枠１０は、上記縦案内溝１２の内部に挿嵌された左右両端に上記案内軸１４が上下方向に挿通して上記案内軸１２に挿嵌された圧縮コイルばねＳＰにより上記横枠４に対して下方に押圧付勢され、
上記セル盤ＳＰは、上下端面が上記下部支持枠８の上部支持面８ａ上の第１ゴム板Ｒ１と、上記圧縮コイルばねＳＰにより下方に押圧付勢される上部支持枠１０の下部支持面１０ａ上の第２ゴム板Ｒ２との間に挟持されると共に、後方への移動が上記両段付き部８ｂ，１０ｂの当接壁面８ｃ，１０ｃにより規制されて上端が若干後方に傾斜して保持されるようになっていることを特徴とするパチンコ遊技機のセル盤支持枠台。
【考案の詳細な説明】
【技術分野】
【０００１】
本考案は、店舗内に設置される通称「島」と呼ばれる遊技機設置台に取付けられるパチンコ遊技機の一部を構成する盤面（セル盤）を支持するパチンコ遊技機のセル盤支持枠台に関する。
【背景技術】
【０００２】
従来、パチンコ遊技機は、一般的に島に取付けて使用されている。そして、上記パチンコ遊技機を上記島に取付けるために遊技機着脱装置が用いられる場合もある。
【０００３】
上記遊技機着脱装置は、断面コの字型に形成され、その開口を下向きとした本体部と、上下方向で移動を行えるようにして本体部に取付けられる可動部材を備えている。上記本体部の内部には、楕円形を長径と短径とに４分割したうちの一つの形状とされたカムが設けられており、このカムは、上記本体部をその幅方向で貫く軸を中心として９０度回転できるようにされており、また、その短径が略沿直となる向きになった位置と、その長径が略沿直となる向きになった位置という２つの位置で固定されるようにされている。
【０００４】
その固定を可能とする為に、その孤の長径と交わる部分と、その孤の短径と交わる部分に直線的な部分を作ってある。上記カムは、軸を介してレバーに接続されており、レバーを回転させる操作に伴って回転するようになっている。可動部材の両端には押圧部材が取付けられており、押圧部の下面にはゴム製のゴムマットが取付けられている。
【０００５】
そこで、上記遊技機着脱装置を用いてパチンコ遊技機を取付ける際は、パチンコ遊技機を空間に嵌め込んだ状態で上記レバーを操作し、上記カムを回転することで可動部材全体が下方へ移動し、これに伴って押圧部材も下方に移動する。これにより、押圧部材のゴムマット下面が上記パチンコ遊技機の上面を押圧して上下から挟まれた状態で固定されるようになっている。
【０００６】
そして、上記パチンコ遊技機（パチンコ台とセル盤から構成される）は、新台の入換え時にパチンコ遊技機が上記遊技機着脱装置により遊技機設置台から取外されると、上記パチンコ遊技機に取付けられた釘や役物、風車などを配置した旧セル盤が、工場から持ち込まれた新しいセル盤と交換され、新しいセル盤を取付けたパチンコ遊技機は再び上記遊技機着脱装置により上記遊技機設置台に取付けられて上記セル盤の清掃作業並びに釘の調整などのメンテナンスが行われる（例えば特許文献１参照）。
【０００７】
【特許文献１】特開２００７−７２９６号公報
【考案の開示】
【考案が解決しようとする課題】
【０００８】
特許文献１のように、上記セル盤のメンテナンスは、パチンコ遊技機を遊技機設置台に取付けた状態で行われていることから、閉店後の限られた深夜時間帯に行われているため処理できる作業台数には制限があり、台数をかせぐためには、多くの作業員を導入しなくてはならず新しいセル盤の交換作業に何時間も多くの時間が掛かる問題を有していた。このことから、パチンコ遊技機の新台入換え時にセル盤をメンテナンスする為にパチンコ遊技機が休止される時間を短縮することと、それにかかる人件費の削減が要望されていた。
【０００９】
本考案の目的は、パチンコ遊技機から取外されたセル盤のみを支持するセル盤支持枠台を用いることで、営業時間中でもセル盤のメンテナンス作業を並行して行うことができ、パチンコ遊技機の休止時間を短縮することができるパチンコ遊技機のセル盤支持枠台を提供することを目的とする。
【課題を解決するための手段】
【００１０】
上記の目的を解決するために、本考案の請求項１に記載のパチンコ遊技機のセル盤支持枠台は、店舗内に設置される遊技機設置台に取付けられるパチンコ遊技機の一部を構成するセル盤ＣＢのみを保持するパチンコ遊技機のセル盤支持枠台であって、
上記セル盤支持枠台１は、床面Ｆに水平に支持されるベース２上に立設し上端間に横枠４を連結して成る一対の脚柱５ａ，５ｂと、これら脚柱５ａ，５ｂ間の下方部位に連結されて前方に張り出したテーブル６と、このテーブル６上方の上記脚柱５ａ，５ｂ間に連結され平坦に形成された上部支持面８ａの上面に第１ゴム板Ｒ１が貼着され、上記上部支持面８ａの後方端部に長手方向に沿って上向き段付き部８ｂを突設した下部支持枠８と、この下部支持枠８の上方に対向配置される平坦な下部支持面１０ａの下面に第２ゴム板Ｒ２が貼着され、上記下部支持面１０ａの後方端部に長手方向に沿って下向き段付き部１０ｂを突設した上部支持枠１０とを有し、上記下向き段付き部８ｂの前面に形成された当接壁面８ｃは、上記上向き段付き部１０ｂの前面に形成された当接壁面１０ｃより僅かに前方に位置して成り、
上記両脚柱５ａ，５ｂは、対向する内面に上端から一定長さの縦案内溝１２が形成されて、これら両縦案内溝１２には上記上部支持枠１０の両端が上下移動可能に挿嵌されると共に上記両縦案内溝１２の内部には、上記横枠４の両端および上記両縦案内溝１２の下端面１２ａにそれぞれ案内軸１４の上下両端が支持され、上記上部支持枠１０は、上記縦案内溝１２の内部に挿嵌された左右両端に上記案内軸１４が上下方向に挿通して上記案内軸１２に挿嵌された圧縮コイルばねＳＰにより上記横枠４に対して下方に押圧付勢され、
上記セル盤ＳＰは、上下端面が上記下部支持枠８の上部支持面８ａ上の第１ゴム板Ｒ１と、上記圧縮コイルばねＳＰにより下方に押圧付勢される上部支持枠１０の下部支持面１０ａ上の第２ゴム板Ｒ２との間に挟持されると共に、後方への移動が上記両段付き部８ｂ，１０ｂの当接壁面８ｃ，１０ｃにより規制されて上端が若干後方に傾斜して保持されるようになっていることを特徴とするパチンコ遊技機のセル盤支持枠台である。
上記のパチンコ遊技機のセル盤支持枠台によれば、新台入換え時などにパチンコ遊技機からセル盤のみを取外し、上記セル盤を、床面Ｆに立設したセル盤支持枠台１の下部支持枠８の上部支持面８ａに貼着された第１ゴム板Ｒ１と、上記圧縮コイルばねＳＰにより下方に押圧付勢される上部支持枠１０の下部支持面１０ａに貼着された第２ゴム板Ｒ２との間で挟持すると共に、後方への移動が上記両段付き部８ｂ，１０ｂの当接壁面８ｃ，１０ｃにより規制されて上端が若干後方に傾斜して保持され、この状態で上記セル盤の清掃作業並びに釘調整などのメンテナンス作業が行われる。
【考案の効果】
【００１１】
本考案は以下の効果を奏する。
【００１２】
請求項１に記載の考案によれば、パチンコ遊技機から取外されたセル盤のみを支持するセル盤支持枠台を用いることで、営業時間中でもセル盤のメンテナンス作業を並行して行うことができ、パチンコ遊技機の休止時間を短縮することができる。
【考案を実施するための最良の形態】
【００１３】
本考案の一実施例を以下に説明する。
【実施例】
【００１４】
図１〜図３には、パチンコ遊技機のセル盤支持枠台の一実施例が示されている。図１は本考案に係るパチンコ遊技機のセル盤支持枠台の平面図、図２は上部支持枠の端部が脚柱の縦案内溝内に支持される状態を示す部分拡大斜視図、図３は図１のＡ−Ａ断面図である。
【００１５】
図１において、１はパチンコ遊技機のセル盤支持枠台であって、このパチンコ遊技機のセル盤支持枠台１は、床面Ｆに水平に支持されるベース２上に立設し上端間に横枠４を連結して成る一対の脚柱５ａ，５ｂと、これら脚柱５ａ，５ｂ間の下方部位に連結されて前面に水平に張り出したテーブル６と、このテーブル６上方の上記脚柱５ａ，５ｂ間に連結され平坦に形成された上部支持面８ａの上面に第１ゴム板Ｒ１が貼着され、上記上部支持面８ａの後方端部に長手方向に沿って上向き段付き部８ｂを突設した下部支持枠８と、この下部支持枠８の上方に対向配置される平坦な下部支持面１０ａの下面に第２ゴム板Ｒ２が貼着され、上記上部支持面８ａの後方端部に長手方向に沿って上向き段付き部８ｂを突設した下部支持枠８と、この下部支持枠８の上方に対向配置される平坦な下部支持面１０ａの下面に第２ゴム板Ｒ２が貼着され、上記下部支持面１０ａの後方端部に長手方向に沿って下向き段付き部１０ｂを突設した上部支持枠１０とを有しており、上記テーブル６と下部支持枠８との間には、両脚柱５ａ，５ｂ間を覆う幕板１６が取付けられている。
上部支持面８ａの上面に貼着された第１ゴム板Ｒ１ないし下部支持面１０ａの下面に貼着された第２ゴム板Ｒ２は、セル盤Ｃの上下端面を押圧した時の食いつきを良くする押圧面となるものである。
【００１６】
そして、下部支持枠８に形成される上記下向き段付き部８ｂの前面には、図３に示すように当接壁面８ｃが形成されると共に上部支持枠１０に形成される下向き段付き部１０ｂの前面にも当接壁面１０ｃが形成されている。
上記下部支持枠８の当接壁面８ｃは、後端壁面からＬ１前方に位置しており、上部支持枠１０の後端壁面から当接壁面１０ｃまでの位置Ｌ２は、上記当接壁面８ｃの位置Ｌ１より僅か前方に位置するように構成されている。
【００１７】
次に、両脚柱５ａ，５ｂに付き図２、図３を参照して説明する。尚、上記両脚柱５ａ，５ｂは左右対称に構成されるので、ここでは一方の脚柱５ｂに付き説明する。
【００１８】
上記一方の脚柱５ｂは、対向する内面に上端から一定長さの縦案内溝１２が形成されて、上記縦案内溝１２には上部支持枠１０の両端が上下移動可能に挿嵌されている。上記縦案内溝１２の内部には、案内軸１４の上下両端が上記横枠４の端部および上記縦案内溝１２の下端壁面に支持されており、上記上部支持枠１０は、上記縦案内溝１２の内部に挿嵌された端部に上記案内軸１４が上下方向に挿通している。
【００１９】
上記案内軸１４には、圧縮コイルばねＳＰが挿嵌されており、上記横枠４の下面に対して上部支持枠１０の上面を一対の平座金１５を介して下方に押圧付勢しており、上部支持枠１０を縦案内溝１２の下端面１２ａに当接させている。この場合、下端面１２ａに当接した上部支持枠１０の下部支持面１０ａと下部支持枠８の上部支持面８ａの間隔は、上記セル盤の高さより狭い寸法とされている。
【００２０】
次に、上記のように構成されたセル盤支持枠台の使用法に付き図４、図５、図６を参照して説明する。
【００２１】
図４はセル盤支持枠台にセル盤を取付ける状態を示す説明図、図５はセル盤の下端が下部支持枠の上部支持面に支持された状態を示す説明図、図６はセル盤がセル盤支持枠台の下部支持枠と上部支持枠の間に保持された状態を示す全体斜視図である。
【００２２】
図４において、セル盤ＣＢをセル盤支持枠台に取付けるに際し、例えば島の図示しない支持台から取外されたセル盤ＣＢは、下端を手前に出した傾斜状態にしてその両側を両手で把持して前傾姿勢となった上端を上部支持枠１０の下部支持面１０ａ上面に貼着された第２ゴム板Ｒ２に当接させつつ後方の段付き部１０ｂの前面にも上端裏面を当接し、この状態で上部支持枠１０を上記圧縮コイルばねＳＰの付勢力に抗して上方に押し上げる。
【００２３】
次いで、上記セル盤ＣＢの前傾姿勢となった下端面を前方に移動させて上記下部支持枠８の上部支持面８ａ上に貼着された第１ゴム板Ｒ２上に載置すると共に、下端裏面を段付き部８ｂの前面に当接させる。これにより、セル盤ＣＢは、下部支持枠８の上部支持面８ａ上面の第１ゴム板Ｒ１と上部支持枠１０の下部支持面１０ａ上面の第２ゴム板Ｒ２との間に押圧挟持される。そして、上記セル盤ＣＢは、上下端部の裏面が当接している当接壁面８ｃと当接壁面１０ｃの寸法差（Ｌ１−Ｌ２）により上端が垂直面に対しセル盤支持枠台１の後方側に僅かに傾斜した状態で保持される。
【００２４】
挟持されたセル盤ＣＢは、図６に示されるように上記圧縮コイルばねＳＰの付勢力により下方に押圧された上部支持枠１０の下部支持面１０ａと下部支持枠８の上部支持面８ａの第１、第２ゴム板Ｒ１，Ｒ２の間で上端側が僅かに後方に傾斜した状態で保持され、この状態でセル盤ＣＢの清掃作業並びに釘調整などのメンテナンス作業が行われる。
【００２５】
尚、上記セル盤支持枠台１に上端が僅か後方に傾斜状態で保持されたセル盤ＣＢは、上記両脚柱５ａ，５ｂ間の前後面に設けたフック２０に両端部がそれぞれ着脱可能に連結係止される一対の弾性ベルト１８により表裏面が支持されるようになっており、上記一対の弾性ベルト１８は、上記セル盤ＣＢを着脱する際に上部支持枠１０を上方に押し上げた時に転倒防止のために取付けられるものであるが、前面側の弾性ベルト１８は着脱時には外されるが、少なくとも裏面側の弾性ベルト１８は取り付けたままの状態としてある。
【００２６】
次に、上記セル盤支持枠台１でのメンテナンス作業が終了したセル盤ＣＢは、上記セル盤支持枠台１から取外される。セル盤ＣＢを取り外す際は、上記セル盤ＣＢの両側を両手で把持した状態で上部支持枠１０を上方に押し上げ、セル盤ＣＢの下端を手前側に斜めに引き出すことで取り出される。取り出されたセル盤ＣＢは、店舗内の島に再び取付けられる。上記セル盤ＣＢが上記セル盤支持枠台１から取外されると、上部支持枠１０は、圧縮コイルばねの付勢力により押し下げられ、上部支持枠１０の両端が縦案内溝の下端面１２ａに当接して停止する。
【００２７】
上記のように構成されたパチンコ遊技機のセル盤支持枠台によれば、パチンコ遊技機の新台入換え時や店舗内の旧台を点検する際に、取り外したセル盤ＣＢをセル盤支持枠台１に適正な作業高さに垂直に保持することができることから、店舗内のパチンコ遊技機が稼働中でも遊技機設置台の支持枠に遊技機を取り付けた状態と同じ状態でセル盤の清掃作業並びに釘調整などのメンテナンス作業を行うことができる。
【００２８】
これにより、パチンコ遊技機の新台入換え時などにパチンコ遊技機から取外されたセル盤のみを支持するセル盤支持枠台を用いることで、営業時間中でも上記セル盤のメンテナンス作業を並行して行うことができるので、パチンコ遊技機の休止時間を短縮することができる。
【図面の簡単な説明】
【００２９】
【図１】本考案に係るパチンコ遊技機のセル盤支持枠台の平面図である。
【図２】本考案に係る上部支持枠の端部が脚柱の縦案内溝内に支持される状態を示す部分拡大斜視図である。
【図３】本考案に係るは図１のＡ−Ａ断面図である。
【図４】セル盤支持枠台にセル盤を取付ける状態を示す説明図である。
【図５】セル盤の下端が下部支持枠の上部支持面に支持された状態を示す説明図である。
【図６】セル盤がセル盤支持枠台の下部支持枠と上部支持枠の間に斜めに保持された状態を示す全体斜視図である。
【符号の説明】
【００３０】
１              パチンコ遊技機のセル盤支持枠台
２              ベース
４              横枠
５ａ，５ｂ      脚柱
６              テーブル
８              下部支持枠
８ａ            上部支持面
８ｂ            段付き部
８ｃ            当接壁面
１０            上部支持枠
１０ａ          下部支持面
１０ｂ          段付き部
１０ｃ          当接壁面
１２            縦案内溝
１２ａ          下端面
１４            案内軸
１５            平座金
１６            幕板
１８            弾性ベルト
２０            フック
ＣＢ            セル盤
Ｆ              床面
Ｒ１            第１ゴム板
Ｒ２            第２ゴム板
ＳＰ            圧縮コイルばね
【図１】
0003141731.tif 000003
【図２】
0003141731.tif 000004
【図３】
0003141731.tif 000005
【図４】
0003141731.tif 000006
【図５】
0003141731.tif 000007
【図６】
0003141731.tif 000008